【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
連続ロール紙にインクが塗布されて画像形成が行われる印刷ゾーンを画定する印字ヘッドの位置を通過させて記録媒体の連続ロール紙を搬送するロール紙搬送装置であって、
前記印刷ゾーン内で前記ロール紙を処理方向に搬送するよう設定された第１のローラであって、前記印刷ゾーン内の前記処理方向に垂直な姿勢で配置される第１のローラと、
前記ロール紙が前記印刷ゾーン内を通過した後で前記ロール紙を受け取って搬送するよう設定された第２のローラであって、前記印刷ゾーン内の前記処理方向に垂直な姿勢で配置される第２のローラと、
正の空気圧と負の空気圧を前記連続ロール紙の表面へ供給して空気膜を形成するよう設定され、前記印刷ゾーン内で前記連続ロール紙上での画像形成が行われている間、前記連続ロール紙の一部分が前記空気膜により支持される、空気膜システムと、
前記空気膜システムに操作可能に接続し、前記第１のローラと前記第２のローラの間の距離、前記連続ロール紙の厚さおよび幅、ならびに前記連続ロール紙の搬送速度に基づいて前記正の空気圧および前記負の空気圧を供給するように前記空気膜システムを操作する制御装置と、を含むロール紙搬送装置。
【請求項２】
前記第１のローラと前記第２のローラの間に配置され、第１の複数の第１の開口および第２の複数の第２の開口を有する空気膜モジュールをさらに含む請求項１に記載のロール紙搬送装置。
【請求項３】
前記空気膜システムが、前記空気膜モジュールに動作可能に接続し、前記正の空気圧および前記負の空気圧を前記空気膜モジュールに供給するよう設定された空気圧装置をさらに含む、請求項２に記載のロール紙搬送装置。
【請求項４】
前記空気膜モジュールが、前記空気圧装置に動作可能に接続して前記連続ロール紙の前記表面に前記正の空気圧を供給する複数の第１の開口と、前記空気圧装置に動作可能に接続して前記連続ロール紙の前記表面に前記負の空気圧を供給する複数の第２の開口とをさらに含む、請求項３に記載のロール紙搬送装置。
【請求項５】
前記複数の第１の開口が、複数の第１の開口のグループの中で前記空気膜モジュール上に配列され、前記複数の第２の開口が、複数の第２の開口のグループの中で前記空気膜モジュール上に配列され、前記第１の開口のグループと前記第２の開口のグループとは交互に配置される、請求項４に記載のロール紙搬送装置。
【請求項６】
前記第１の開口と前記第２の開口とが互い違いに配置される、請求項４に記載のロール紙搬送装置。
【請求項７】
前記各第１の開口が、前記各第２の開口よりも小さい、請求項４に記載のロール紙搬送装置。
【請求項８】
前記空気圧装置がポンプを含み、前記ポンプが前記正の空気圧と前記負の空気圧の両方を生成する、請求項４に記載のロール紙搬送装置。
【請求項９】
前記ポンプと前記空気膜モジュールとの間に動作可能に接続し、前記ポンプにより生成される前記正の空気圧および前記負の空気圧のうちの少なくとも１方の変化に対する影響を少なくするよう設定された蓄圧タンクをさらに含む、請求項８に記載のロール紙搬送装置。
【請求項１０】
前記第１の開口が、前記蓄圧タンクに動作可能に接続して前記連続ロール紙の前記表面に前記正の空気圧を供給する、請求項９に記載のロール紙搬送装置。
【請求項１１】
前記第２の開口が、前記蓄圧タンクに動作可能に接続して前記連続ロール紙の前記表面に前記負の空気圧を供給する、請求項１０に記載のロール紙搬送装置。
【請求項１２】
前記空気膜モジュールによって、前記連続ロール紙の前記表面と略平行な平面が規定され、前記第１の開口は、第１の距離で前記連続ロール紙の前記表面から離れてそれぞれ等距離に配置される、請求項１１に記載のロール紙搬送装置。
【請求項１３】
前記第２の開口は、第２の距離で前記連続ロール紙の前記表面から離れてそれぞれ等距離に配置される、請求項１２に記載のロール紙搬送装置。
【請求項１４】
前記第１の距離は前記第２の距離と実質的に等しい、請求項１３に記載のロール紙搬送装置。
【請求項１５】
前記第１のローラの外面および前記第２のローラの外面によって一つの平面が規定され、前記第１のローラの前記外面および前記第２のローラの前記外面によって形成された前記平面と、前記空気膜モジュールによって形成された前記平面との間の距離は、約４０〜６０ミクロンである、請求項１２に記載のロール紙搬送装置。
【請求項１６】
印刷ゾーンを通る連続ロール紙の処理方向と垂直な方向に沿って配置される第１のローラおよび第２のローラを有し、さらに、前記第１のローラと前記第２のローラの間に設けられた前記印刷ゾーンにおいて前記連続ロール紙の第１の面にインクを塗布する少なくとも一つの印字ヘッドを有するプリンタにおいて、記録媒体である前記連続ロール紙に印刷を行う方法であって、
前記第１のローラから前記第２のローラまで前記ロール紙を移動するステップと、
前記ロール紙の前記第１の面の裏側である、前記ロール紙の第２の面に空気膜を形成するステップであって、制御装置で流体供給装置を操作して、前記第１のローラと前記第２のローラの間の距離、前記連続ロール紙の厚さおよび幅、ならびに前記連続ロール紙の搬送速度に基づいて前記ロール紙の前記第２の面に正の圧力および負の圧力を加えることによって前記空気膜を形成し、前記空気膜が、前記第１のローラから前記第２のローラへの前記ロール紙の移動中、前記ロール紙を支持して、前記第１のローラと前記第２のローラの間を前記ロール紙が移動する際の前記ロール紙の望ましくない動きを抑制する、ステップと、
前記第１のローラから前記第２のローラへの前記ロール紙の移動中に前記ロール紙にインクを塗布するステップと、を含む方法。
【請求項１７】
前記空気膜を形成するステップは、
圧盤内の開口に前記正の圧力と前記負の圧力を付与するステップをさらに含む、請求項１６に記載の方法。
【請求項１８】
処理方向に移動している記録媒体の連続ロール紙にインク画像を形成するプリンタであって、
前記連続ロール紙を前記処理方向に送るよう設定された第１のローラと、
前記処理方向に沿って前記第１のローラから間隔を空けて配置されて、前記連続ロール紙を前記処理方向に送るよう設定された第２のローラと、を含み、
前記第１のローラおよび前記第２のローラは、前記処理方向に垂直な方向に沿って配置され、
前記記録媒体の第１の面にインクを塗布して前記インク画像を形成するよう設定されて、前記第１のローラと前記第２のローラの間で前記処理方向に沿って配置される印字ヘッドと、
前記連続ロール紙の第２の面に正の空気圧および負の空気圧を供給して空気膜を形成するよう設定され、前記連続ロール紙の前記第１の面への画像形成が行われている間前記空気膜によって前記連続ロール紙の一部分が支持される、空気膜システムと、
前記空気膜システムに操作可能に接続し、前記第１のローラと前記第２のローラの間の距離、前記連続ロール紙の厚さおよび幅、ならびに前記連続ロール紙の搬送速度に基づいて前記正の空気圧および前記負の空気圧を供給するように前記空気膜システムを操作する制御装置と、を含むプリンタ。
【請求項１９】
前記空気膜システムは、
前記第１のローラと前記第２のローラの間に配置される空気膜モジュールをさらに含み、前記空気膜モジュールは、複数の第１の開口および複数の第２の開口を有し、前記複数の第１の開口が負の圧力源に接続され、前記複数の第２の開口が正の圧力源に接続される、請求項１８に記載のプリンタ。
【請求項２０】
前記複数の第１の開口が、複数の第１の開口のグループの中で前記空気膜モジュール上に配列され、前記複数の第２の開口が、複数の第２の開口のグループの中で前記空気膜モジュール上に配列され、前記第１の開口のグループと前記第２の開口のグループとは交互に配置される、請求項１９に記載のプリンタ。
【請求項２１】
前記空気膜モジュールは、前記複数の第１の開口のグループに動作可能に接続する負の圧力室と、前記複数の第２の開口のグループに動作可能に接続する正の圧力室とを含む、請求項２０に記載のプリンタ。
【請求項２２】
前記複数の第１の開口のグループのうちの１グループ内の開口の数は、前記複数の第２の開口のグループのうちの１グループ内の開口の数より多い、請求項２１に記載のプリンタ。
【請求項２３】
前記第２のローラから間隔を空けて前記処理方向に沿って配置される第３のローラと、
前記第１のローラと前記第２のローラの間に設けられる第２の印字ヘッドと、
前記第２のローラと前記第３のローラの間に設けられる第３の印字ヘッドと、
前記第２のローラと前記第３のローラの間に設けられる第４の印字ヘッドと、をさらに含み、
前記空気膜システムは、前記第１のローラと前記第２のローラの間に配置される第１空気膜モジュールと、前記第２のローラと前記第３のローラの間に配置される第２空気膜モジュールとを含み、
前記制御装置は、前記第１空気膜モジュールを操作して、前記第１空気膜モジュールと前記連続ロール紙の間の空気の膜のための第１の正の空気圧および第１の負の空気圧を供給し、前記第２空気膜モジュールを操作して、前記第２空気膜モジュールと前記連続ロール紙の間の空気の膜のための第２の正の空気圧および第２の負の空気圧を供給するようにさらに設定される、請求項１８に記載のプリンタ。
【請求項２４】
前記第１空気膜モジュールおよび前記第２空気膜モジュールはそれぞれ、
負の空気圧源に接続される第１の複数の開口と、正の空気圧源に接続される第２の複数の開口とを有する圧盤をさらに含み、各圧盤は、前記連続ロール紙に隣接して配置される、請求項２３に記載のプリンタ。
【請求項２５】
前記第１の複数の開口および前記第２の複数の開口は、前記第１空気膜モジュールおよび前記第２空気膜モジュールそれぞれの前記圧盤に沿って交互に配置される、請求項２４に記載のプリンタ。
【手続補正２】
【補正対象書類名】明細書
【補正対象項目名】発明の名称
【補正方法】変更
【補正の内容】
【発明の名称】ロール紙搬送装置、連続ロール紙に印刷を行う方法、および、プリンタ